(57)【要約】【課題】プロジェクタ照明系における照明位置調整をライトトンネルの位置や姿勢を調整することにより実施する場合において、プロジェクタを解体することなく、セット筐体外部からライトトンネル位置調整ができるようにする。【解決手段】照明均一化素子４と、該素子を収容するケーシング２２と、被操作部４０Ａを操作されることにより素子４の位置等を変化させる調整機構６と、ケーシング、及び調整機構を内部に収容すると共に外部から被操作部に対する操作を可能とする調整穴３５を備えたセット筐体３０と、を備え、ケーシングの内外を連通させる光開口２２ａを備え、光開口からケーシング外部に出る光によって被操作部を照明する。【選択図】図１
2016009109.tif 000002
【特許請求の範囲】
【請求項１】
光源から入射した光の光量分布を一様にする照明均一化素子と、該照明均一化素子を内部に収容する遮光性を有したケーシングと、被操作部が前記ケーシングの外部に位置し、該被操作部を操作されることにより前記照明均一化素子の設置位置、又は／及び、設置角度を変化させる調整機構と、前記ケーシング、及び前記調整機構を内部に収容すると共に外部から前記被操作部に対する操作を可能とする調整穴を備えたセット筐体と、を備えた光学ユニットであって、
前記ケーシングには、該ケーシングの内外を連通させる光開口を備え、
該光開口から前記ケーシング外部に出射される光によって少なくとも前記被操作部を照明することを特徴とする光学ユニット。
【請求項２】
前記調整機構は、前記ケーシングにより回転自在且つ軸方向へ進退自在に支持され、前記被操作部をケーシング外部に位置させると共に先端部をケーシング内部において前記照明均一化素子と接触させるビスと、前記ビス先端部が接する前記照明均一化素子の面とは反対側面を前記ビスの押し込み力に抗する方向へ付勢する弾性部材と、を備えていることを特徴とする請求項１に記載の光学ユニット。
【請求項３】
前記光開口を、前記照明均一化素子の調整機構配置面の外周輪郭線を前記ケーシング内面に投影した領域内に形成したことを特徴とする請求項１又は２に記載の光学ユニット。
【請求項４】
前記光開口を、前記調整機構が配置された前記照明均一化素子の調整機構配置面の外周輪郭線を前記ケーシング内面に投影した領域外に形成したことを特徴とする請求項１又は２に記載の光学ユニット。
【請求項５】
前記セット筐体内壁に、前記光開口からの光を反射させる反射部を設けたことを特徴とする請求項１、３又は４の何れか一項に記載の光学ユニット。
【請求項６】
請求項１乃至５の何れか一項に記載の光学ユニットを備えたことを特徴とする画像表示装置。
【発明の詳細な説明】
【技術分野】
【０００１】
本発明は、画像を拡大してスクリーンに表示する画像表示装置に使用される光学ユニットに関し、特に、照明系を構成する照明均一化素子の設置位置、設置角度を調整する作業を、セット筐体外部から容易に実施できるようにした光学ユニット、及び画像表示装置に関する。
【背景技術】
【０００２】
一般的にプロジェクタと称されている画像表示装置は、画像表示素子の違いによって、ＣＲＴプロジェクタ、液晶プロジェクタ、ＤＬＰ（Digital light Processing）プロジェクタ等に分類される。
ＤＬＰプロジェクタは、光源と、光源から出射される光を集光する集光器と、集光器の近傍に入射端を有し、集光された光（入射光）の光量分布を一様にするライトトンネル（照明均一化素子）と、ライトトンネルと集光器との間に配置され、ライトトンネルに入射される光に時分割で色要素を重畳するカラーフィルタと、照明光学系からの光を画像表示面で反射して画像を形成する画像表示素子（ＤＭＤ＝反射型画像表示素子）と、ライトトンネルの出射端から画像表示素子までの間に配置されている光学部品から成る照明光学系と、画像表示素子からの光を被投射面に投射する投射光学系と、光源、集光器、カラーフィルタ、ライトトンネル、調整機構、画像表示素子、照明光学系、及び投射光学系を内部に収容するセット筐体と、を備えている。
照明光学系と投射光学系はユニット化されることがあり、このユニットを光学エンジンと称する。
【０００３】
特許文献１には、光源に対するライトトンネルの設置位置と設置角度を調整することにより、ライトトンネルからの出射光位置（画像表示素子上の照明光の位置）を調整して、照明ケラレの発生を防止する調整機構を備えたものが開示されている。
プロジェクタの照明光学系においては、光学部品を修理、交換した際などにおいて、画像表示素子の面上における照射位置のずれ（照明ケラレ）が発生することを防止するために、ライトトンネルの位置調整ができるように構成されている。このように、市場にて光学部品の修理・交換が生じて照明位置調整の必要が生じた場合でも、調整機構を設けておくことにより、容易に照明ケラレの無い映像を得ることができる。
【０００４】
ところで、特許文献１を含んだ従来のプロジェクタに装備されるライトトンネルの調整機構では、セット筐体を解体せずにセット筐体外部から内部の調整機構にアクセスすることができなかった。このため、工場等にプロジェクタ全体を移動した上で、セット筐体を開放して調整機構を露出させた状態での調整作業が必要とされ、専用治具や技術者が存在しないプロジェクタの設置場所での作業が難しかった。
即ち、光学エンジン化した光学系の構造を備え、且つ光源に対するライトトンネルの光軸と直交する面ｘ、ｙ方向への位置調整が可能な調整機構を備えたプロジェクタにあっては、調整ビス等の照明位置の調整機構が光学エンジンの外部に露出しているため、光学エンジンを露出させればその状態でドライバーを用いたライトトンネル調整を実施できる。しかし、光学エンジン自体がセット筐体内に収容されているため、調整機構を露出させるためにはセット筐体を他の部分から取り外す必要がある。つまり、セット筐体を取り外していない状態、つまりプロジェクタが完成した状態ではセット筐体の外部からライトトンネルの調整による照明位置調整ができなかった。
【０００５】
また、光学エンジン構造を持たず、プロジェクタのセット筐体に直接各種光学系部品を組み付けた構造の場合には、ライトトンネル調整はセット筐体を外した状態で行う必要がある。
上記何れの場合もセット筐体を取り外していない状態、つまりプロジェクタが組付けを完成した状態ではライトトンネルの調整による照明位置調整が外部からの作業では実施できず、工場等への移送が必要であった。このため、時間、費用、作業が増大することになる。また、この場合には、セット筐体を開けて高温高輝度になる光源などをむき出しにして調整作業をやらざるを得なくなるため、非常に危険であった。
【０００６】
また、特許文献２（特開２００７−２４８７５２公報）には、画像表示素子に対するライトトンネルの光軸方向と直交する方向の回転位置を合わせる回転調整機構が開示されている。回転調整機構によりライトトンネルの傾きや位置を変えることにより、画像表示素子への光の照射域を調整して画像表示素子の画像表示面全体に光を照射するものである。
しかし、特許文献２においても、プロジェクタの設置場所等の市場にて他の光学部品を修理・交換するのに伴ってライトトンネルの位置調整が必要になった場合には、生産工場にプロジェクタを移送して調整を行わざるを得なくなる。このため、修理、調整に要する時間、費用、作業が大きくなる。また、セット筐体を開けて高温高輝度状態になる光源などをむき出しにして作業を行うために非常に危険な状況になるという問題は解決できない。
【発明の概要】
【発明が解決しようとする課題】
【０００７】
以上のように従来のプロジェクタ等の画像表示装置にあっては、照明光学系セットを筐体内に収容した完成状態では、セット筐体の外部からの作業によって画像表示素子上の照射位置調整をライトトンネルの調整機構を用いて実施することができなかった。
なお、セット筐体の外部に設けた作業用の小穴から工具を差し入れて内部の調整機構を操作できるようにすることも考えられるが、光源の点灯中であってもセット筐体内部は暗所となっているため、調整機構の位置を目視確認して正確な作業を実施することは難しい。
本発明は上記に鑑みてなされたものであり、プロジェクタ照明系における照明位置調整をライトトンネルの位置や姿勢を調整することにより実施する場合において、プロジェクタを解体することなく、セット筐体外部からライトトンネル位置調整ができるようにすることを目的とする。
【課題を解決するための手段】
【０００８】
上記目的を達成するため本発明に係る光学ユニットは、光源から入射した光の光量分布を一様にする照明均一化素子と、該照明均一化素子を内部に収容する遮光性を有したケーシングと、被操作部が前記ケーシングの外部に位置し、該被操作部を操作されることにより前記照明均一化素子の設置位置、又は／及び、設置角度を変化させる調整機構と、前記ケーシング、及び前記調整機構を内部に収容すると共に外部から前記被操作部に対する操作を可能とする調整穴を備えたセット筐体と、を備えた光学ユニットであって、前記ケーシングには、該ケーシングの内外を連通させる光開口を備え、該光開口から前記ケーシング外部に出射される光によって少なくとも前記被操作部を照明することを特徴とする。
【発明の効果】
【０００９】
本発明によれば、プロジェクタ照明系における照明位置調整をライトトンネルの位置や姿勢を調整することにより実施する場合において、プロジェクタを解体することなく、セット筐体外部からライトトンネル位置調整ができる。
【図面の簡単な説明】
【００１０】
【図１】（ａ）は本発明の一実施形態に係る画像表示装置の一例としてのプロジェクタの構成を示す断面略図であり、（ｂ）は調整機構の構成を説明する要部断面略図である。
【図２】（ａ）及び（ｂ）は調整機構によりライトトンネルの位置、姿勢を調整する前の投影画像の状態を示す図、及び調整した後の投影画像の状態を示す比較図である。
【図３】ライトトンネルとケーシングとの関係において光開口の配置を説明する図であり、（ａ）は本発明の構成図であり、（ｂ）は比較例を示す図である。
【図４】（ａ）及び（ｂ）はセット筐体外壁に調整穴を形成し、且つケーシングに光開口を形成した場合の内部の見え方を示す図、及び光開口を形成しない場合の内部の見え方を示す図である。
【図５】ライトトンネルとその周辺のケーシング、及びセット筐体の要部断面図である。
【図６】図５の変形実施形態を示したライトトンネルとその周辺のケーシング、及びセット筐体の要部断面図である。
【図７】本発明の他の実施形態に係る光開口の配置例を示す略図である。
【発明を実施するための形態】
【００１１】
以下、本発明を図面に示した実施の形態により詳細に説明する。
図１（ａ）は本発明の一実施形態に係る画像表示装置の一例としてのプロジェクタの構成を示す断面略図であり、（ｂ）は調整機構の構成を説明する要部断面略図である。
プロジェクタ（画像表示装置）１は、ランプ２ａ及び集光器２ｂから成る光源２と、光源から入射した光の光量分布を一様にするライトトンネル（照明均一化素子）４と、ライトトンネル４の設置位置と設置角度を調整するライトトンネル調整機構（以下、調整機構、という）６と、光源２とライトトンネル４との間に配置され、ライトトンネル４に入射される光に時分割で色要素を重畳する回転色フィルタ（カラーホイール）８と、２次元的に配置された複数の微小ミラーを有し、個々の微小ミラーの傾き角度をオン状態とオフ状態で変化させることにより反射光の出射をオン・オフさせる反射型画像表示素子（画像表示素子）１０と、ライトトンネル４の出射端から画像表示素子１０までの間に配置されているレンズ１６、第１折り返しミラー１７と第２折り返しミラー１８を有してなる照明光学系１５と、画像表示素子１０からの光を被投射面に投射する投射光学系（投射レンズ）２０と、光源２、カラーフィルタ８、ライトトンネル４、調整機構６、画像表示素子１０、照明光学系１５、及び投射光学系２０を内部に収容するセット筐体（外装カバー）３０と、を備える。
【００１２】
照明光学系１５と投射光学系２０は遮光性の照明系ケーシング２１内に収容されることによって光学エンジンを構成している。また、照明系ケーシング２１に連設された遮光性のライトトンネル用のケーシング２２内にはライトトンネル４が収容されており、ライトトンネル用のケーシング２２の外面に調整機構６を構成するビス４０、及び弾性部材（コイルバネ、板バネ等々）４２が配置されている。本例ではビス４０は二つのビス４０ａ、４０ｂからなり、各ビスは頭部（被操作部）４０Ａと、雄螺子部４０Ｂとから構成されている。頭部４０Ａはケーシング２２の外部に位置し、雄螺子部４０Ｂはケーシング２２の内部に位置する。
ライトトンネル４、ライトトンネル４を内部に収容する遮光性を有したケーシング２２、調整機構６、及びセット筐体３０は、光学ユニットＵを構成している。
本発明の光学ユニットＵは、光源２から入射した光の光量分布を一様にするライトトンネル（照明均一化素子）４と、ライトトンネル４を内部に収容する遮光性を有したケーシング２２と、一部（被操作部４０Ａ）がケーシングの外部に位置し、該外部に位置する部位４０Ａを操作されることにより光源に対するライトトンネル４の設置位置と設置角度を変化させる調整機構６と、光源、照明均一化素子、調整機構、ケーシングを内部に収容すると共に外部から調整機構（被操作部４０Ａ）に対する操作（アクセス）を可能とする調整穴３５を備えたセット筐体３０と、を備える。ケーシング２２には、該ケーシングの内外を連通させる光開口２２ａを備え、光開口からケーシング２２外部に出射される光によって少なくとも調整機構６を照明するようにした構成が特徴的である。
本例に係るライトトンネル４は、例えば長方形の反射鏡の反射面を内側に向けて端縁間を連結した四角柱状をなしている。
【００１３】
光開口２２ａからケーシング２２外部に出る光としては、ライトトンネル４の外周面からの漏洩光と、光源からの出射光のうちでライトトンネル４内に入射せずにライトトンネル４とケーシング２２との間の空間に漏出した光を挙げることができる。
図１において、光源２から発せられた光は回転色フィルター８によって時分割によって色分離される。色分離された光は、ライトトンネルに導かれその内壁で複数回反射され合成されることで均一化される。均一化された光はレンズ１６により所望の大きさに集光され、ミラー１７、１８で画像表示素子（ＤＭＤ：デジタルマイクロミラーデバイス）１０に導かれる。画像表示素子１０は高速のオン／オフ動作により投射影像の階調を表現し、その光を投射レンズ２０に導く。
このとき、画像表示素子１０に照射する光の位置（光軸と交差する方向ｘ、ｙ））を調整するため、ライトトンネル４の適所、本例では出射側にｘ、ｙ方向を調整するビス４０（第１調整ビス４０ａ、第２調整ビス４０ｂ）が配置されている。ライトトンネル４を間に挟んで各調整ビス４０ａ、４０ｂとは反対側のケーシング２２側には弾性部材４２ａ、４２ｂが対向設置されており、各調整ビスの押し込み力（ライトトンネル４を雄螺子部４０Ｂにて押し込む力）に抗する方向へ付勢している。このため、各調整ビスの押し込み、引出しを弾性部材による付勢との協働で個別に行うことにより、ケーシング２２内におけるライトトンネル４のｘ、ｙ方向位置、角度、姿勢を希望の状態に微調整し、且つ調整後の姿勢を安定して維持することができる（図１（ｂ））。
【００１４】
本発明の特徴的な構成は、セット筐体３０に、セット筐体外部から調整機構６に対する操作（アクセス）を可能とする調整穴３５を備えている点と、ライトトンネル４を包囲するように外側に配置されたケーシング２２（照明ユニット）にライトトンネルからの漏れ光、その他の光をケーシング２２外部に漏出させる光開口２２ａを設けた点にある。そして、光開口２２ａからの光によって本来暗所であるセット筐体内の調整機構６、及びその近傍を照射することによりセット筐体外部から内部を目視確認しながら、調整穴３５から差し込んだドライバー等の工具５０を調整機構６（ビス）にあてがって、容易にライトトンネルの位置、角度を調整するようにした点にある。
【００１５】
図２（ａ）及び（ｂ）は調整機構によりライトトンネルの位置、姿勢を調整する前の投影画像の状態を示す図、及び調整した後の投影画像の状態を示す比較図であり、プロジェクタ１の投射光学系２０から被投射面１００に投影画像を照射した状態を夫々示している。
図２（ａ）の投射画像１は画面右辺がケラレた状態となっており、これは画像表示素子１０の一部に照明光が当たっていないため、画面の一部が暗い状態になっている。この照明ケラレを解消するためには、第１、及び第２調整ビス４０ａ、４０ｂを調整して画像表示素子の有効表示エリア全ての領域に光を照明する必要がある。調整の結果、図２（ｂ）のように投影画像はケラレのない投射画面２のようになる。
【００１６】
ケラレ状態は、投影画像の上下左右のどの方向にも発生する可能性があり、ケラレが発生した方向に対するライトトンネルの姿勢を、調整ビスを最適に調整することで調整し、ケラレのない良好な画像を得ることができる。
しかし、調整ビスはプロジェクタ１のセット筐体３０内部に配置されているため、プロジェクタの完成状態では調整ができない。また、プロジェクタを分解してセット筐体を開けた状態で調整ドライバー５０が調整ビスにアクセスできれば調整は可能になる。しかし、プロジェクタが設置された市場現場（ユーザーサイド）で、強烈な光と熱を発生させるプロジェクタの照射光学系を露出させた状態で動作させながら調整作業を行うのは非常に危険である。
【００１７】
上記の不具合を解決するために本発明では、プロジェクタ照明光学系の照明位置調整に際して、以下の特徴を有する。
図１（ａ）（ｂ）に示すように、プロジェクタのセット筐体３０のライトトンネル調整機構６と対向する部位に、調整ビス４０ａ、４０ｂの被操作部４０Ａにアクセス（工具を挿入、接近）できるように調整穴３５を設ける。また、セット筐体３０内部は通常外部光が入らず暗い状態になっている。このため、本実施形態ではライトトンネルを覆うケーシング２２の壁面に調整機構６の少なくとも一部、本例では調整ビス４０ａ、４０ｂの頭部（被操作部４０Ａ）を明るく照射させて調整穴から視認することを可能にする位置に光開口２２ａを設け、この照明を手掛かりとして調整機構の任意の部位（調整ビスの頭部＝被操作部）に容易にアクセスできるようにした。
【００１８】
要するに、プロジェクタの照明光学系において、セット筐体（外壁）に外部から調整機構６にアクセスできる調整穴３５を設け、且つライトトンネルを覆うケーシング２２の壁面に設けた光開口２２ａからの光で調整機構を照明した。このことにより、セット筐体の外部からも容易に照明位置調整ができるので、市場にて光学部品の修理・交換が生じた場合でも、容易に照明ケラレの無い映像を得ることができる。
このようにセット筐体を解体することなく、セット筐体外部から調整機構に対してアクセスできるため、市場サービス時に一部の照明光学部品を入れ替えたために、ライトトンネルの調整による照明位置調整が必要となった場合であっても、プロジェクタを製造工場に戻すことなく、市場サービス現場で調整をすることができる。また、照明光学系がユニット化されておらず、プロジェクタセットに直接組み込まれる構造の場合であっても、セット筐体に調整穴３５を設けておけば、調整ドライバーが容易に調整ビスにアクセスすることができる。
【００１９】
次に、図３（ａ）及び（ｂ）はライトトンネル４とケーシング２２との関係において光開口２２ａの配置を説明する図であり、（ａ）は本発明の構成図であり、（ｂ）は比較例を示す図である。また、図４（ａ）及び（ｂ）はセット筐体外壁に調整穴を形成し、且つケーシングに光開口を形成した場合の内部の見え方を示す図、及び光開口を形成しない場合の内部の見え方を示す図である。
図３（ａ）に示すようにライトトンネル４を包囲するケーシング２２の適所、本例ではケーシングに配置した調整ビス４０ａ（又は、４０ｂ）の被操作部（頭部）４０Ａと対向（対面）するセット筐体３０の部位に調整穴３５を形成すると共に、調整ビスの近傍のケーシング２２に光開口２２ａを貫通形成している。
【００２０】
光開口２２ａを形成するケーシング２２の部位としては、調整ビスを設けたライトトンネル４の四角い一面（調整機構配置面）と対向するケーシング２２内面の四角い領域（対向領域）Ｔ内とする。しかも、光開口から出射される光によって調整ネジを照射することになるため、光開口は調整ネジの近傍となる。本例では、光開口２２ａはビス４０ａを間に挟んで左右に一箇所ずつ形成されており、各光開口２２ａを介して出射されるライトトンネル４からの漏れ光が調整ビス４０ａ、及びその周辺を照明して調整穴３５からの視認が可能となる。
【００２１】
本例では、調整ビスを配置したライトトンネル４の長方形状の一面（調整機構配置面）の外周輪郭をそのままケーシング２２の内壁（内面）に投影した四角い領域（対向領域）Ｔ内に調整ビス４０ａと光開口２２ａを配置しているが、これは一例に過ぎない。後述するように調整ビスを照明することができれば、ケーシング２２のどの部位に光開口を設けても良い。
なお、ライトトンネル４は、４枚の長方形の反射鏡の反射面を内側に向けて四角柱状に組み付けたものであるが、光源から内部に入射した光の一部が反射鏡の外側面（遮光面）を透過して外部に漏出する。本発明ではこのような漏れ光を光開口２２ａからケーシング２２の外部（セット筐体の内部）に導出するようにしている。つまり、ライトトンネル４は複数枚のミラーで構成されており、９８％程度の反射率があるが、残りの２％はほぼミラーを透過する。この僅かな透過光（約２％）がライトトンネル壁面からの漏れ光になる。光源２のパワーは大きいため、僅か２％とは言え充分に明るく、照明用として充分に有効活用できる。
或いは、光源２からの光の一部がライトトンネル４の外面とケーシング２２との間に漏れ光となるので、この漏れ光も光開口２２ａからケーシング２２の外部に出て調整ビス４０ａを照明するのに利用される。
【００２２】
図４（ａ）はセット筐体の外壁に設けた調整穴３５の外側から内部を視認した状態を示しており、図３（ａ）のように光開口２２ａから外部に出射される照明光がある場合には、図４（ａ）のようにセット筐体の内部が明るくなるため操作対象物となる調整ビスの位置を明瞭に視認できる。調整ビスを視認しながら調整穴３５から差し込んだドライバーの先端を確実にビス頭部にあてがって回転させて調整を行うことができる。
図３（ｂ）に示すように、ビス４０ａの近傍のケーシング２２に光開口２２ａを設けない場合には、図４（ｂ）に示すように、ビス４０ａ、及びその周辺をライトアップすることができないため、調整穴３５からの調整対象物の視認が困難となる。
このようにセット筐体３０に調整穴３５を設けただけでは、セット筐体内部は積極的に外部の光や、内部の光（ランプからの漏れ光）を取り入れる構造にはなっておらず、暗所となっている。このため、調整穴から調整ビスは視認しにくい状態になっている。このため、調整ドライバーを調整穴に挿入しても、調整ビスに正確にアクセスすることは困難である。
【００２３】
これに対して本発明では、ライトトンネル４を包囲するケーシング２２の壁に光導入のための光開口２２ａを設けることで積極的に調整ビスを照明することができる。この光開口は調整ビスを配置したケーシング２２に開口形成されており、ライトトンネル内の光がこの光開口から外部に照射される。この構成によれば調整穴から調整ビスが容易に視認でき、調整ドライバーの調整ビスへのアクセスが容易になる。
本発明は、セット筐体内部に光源を持つプロジェクタ、その他の光学機器一般に適用することができる。
【００２４】
次に、図５はライトトンネルとその周辺のケーシング、及びセット筐体の要部断面図である。
ケーシング２２に形成されたビス穴（雌螺子部）２２ｂ、２２ｃには夫々調整ビス４０ａ、４０ｂが螺着されており、各調整ビスの頭部４０Ａはケーシングの外側に位置すると共に、各調整ビスの雄螺子部４０Ｂの先端部はライトトンネル４の一面と接している。調整ビス頭部と対向するセット筐体部位には調整穴３５が形成されている。
【００２５】
一方、各調整ビス先端部が当接するライトトンネルの一面とは反対側のライトトンネル４の他面には弾性部材４２ａ、４２ｂが配置されている。各弾性部材４２ａ、４２ｂは、各調整ビス４０ａ、４０ｂの進退方向（軸方向）の延長上に位置しており、各調整ビスをねじ込んだり退避させる際の移動方向に沿ってライトトンネル４を一方向へ付勢するように構成されている。弾性部材４２ａ、４２ｂは一端部をライトトンネル４の他面に当接させる一方で、他端部を支持部材４３により保持されている。
これを言い換えれば、調整ビス４０ａ、４０ｂの進退方向（軸方向）は、対向配置された弾性部材４２ａ、４２ｂによる付勢方向（コイルバネの軸方向）と一致するように構成している。
【００２６】
従って、任意の調整ビスを任意の距離だけライトトンネル４に向けて突出させたり退避させた時に、対向配置された弾性部材による保持作用によって、ライトトンネル４はその位置、姿勢を調整ビスによる操作量だけ変化させることができる。各調整ビスは、四角柱状のライトトンネルの四つの側面の内の隣接する２つの側面と接しているため、ライトトンネル４の光軸と直交する面に沿ったｘ、ｙ方向へ任意の量、任意の角度だけライトトンネル４の位置や姿勢や角度を調整することができる。
要するに、調整機構６は、ライトトンネル４の長手方向位置と、短手方向位置の調整、及び、光軸と平行の軸を中心とした回転角度を調整する手段である。
各調整ビスは、ライトトンネルの長手方向前方寄り（出射端寄り）に配置するのが調整作業上では便利であるが、この位置に限る訳ではない。
【００２７】
また、図５中に示したように各光開口２２ａからは、ライトトンネル４の外面からの漏れ光が出射されて調整ビス、及びその周辺を照明するため、調整穴３５からの視認性を高めている。調整ビスが視認し易くなることにより、調整穴から挿入した調整ドライバーを容易に調整ビスにアクセスすることができるようになる。
【００２８】
次に、図６は図５の変形実施形態を示したライトトンネルとその周辺のケーシング、及びセット筐体の要部断面図である。
本実施形態では、ケーシング２２の光開口２２ａより照射される照明光をセット筐体内で反射、拡散させて積極的に調整ビス４０ａ、４０ｂに導くために、照射光がセット筐体３０の内壁に当たる部分３０ａに反射部３１を設け、反射部３１からの反射光により調整ビスの先端を積極的に照射させるようにしている。
反射部３１は、部分３０ａに光反射率の高い金属板、金属膜、或いは白色塗料を配置、塗布することにより形成してもよいし、この部分３０ａを鏡面加工して反射物質３１を設けてもよい。
【００２９】
次に、図７は本発明の他の実施形態に係る光開口の配置例を示す略図である。
上記実施形態では、光開口２２ａを、調整機構６（調整ビス４０ａ、４０ｂ）が夫々配置されたライトトンネル４の２つの面（調整機構配置面）と対向するケーシング２２の２つの面（対向面）に形成した。具体的には、光開口２２ａを、ライトトンネル４の各面（各調整機構配置面）の外周輪郭線を夫々ケーシング内壁（ケーシング内面）に投影した各領域（各対向領域）Ｔ内に形成した。これは、調整ネジに対する照明を主としてライトトンネル４からの漏洩光（透過光）を利用して行う場合には、調整ネジの近傍に貫通形成した光開口２２ａから行うことが効率的だからである。
【００３０】
これに対して図７の実施形態では、対向領域Ｔの外部に光開口２２ａを配置した。この光開口２２ａは、ライトトンネル４の一面（調整機構配置面）からの漏れ光のみならず、光源２からの漏れ光を導光して調整ネジを照明するための導光手段である。また、調整機構６を照射する光として、ライトトンネルの調整機構配置面以外の面からの透過光も利用することができる。
【００３１】
即ち、光源２を構成するランプ２ａからの光は集光器２ｂにより集光されてほとんどの光は正規の光路であるライトトンネル４の入射端部に導かれるが、その一部は漏れ光となってライトトンネル４の外側（ライトトンネル４の外面とケーシング２２との間の空間）に拡散する。このため、ライトトンネルの外周空間にも光が存在しており、この漏れ光を調整機構の照明に積極的に利用するために、漏れ光を最も導入し易い位置に光開口２２ａを形成したのである。ここで漏れ光を最も導入し易い位置とは、ケーシング２２の上記領域Ｔの外部になる。
即ち、光源２からの光はその殆んどが主要光としてライトトンネル４内に入射するが、全ての光が主要光の領域に入るのではなく、光源からライトトンネル４の外部に直接漏れてくる光もある。これが図７中の「漏れ光」である。
このように本実施形態における光開口は、ランプ２ａからの漏れ光を積極的に取り込む手段であり、その配置は、調整ビス４０ａ、４０ｂを配置したライトトンネル４の一面の外周輪郭線をケーシング２２へ投影した四角い領域Ｔの外部となる。
【００３２】
また、この領域Ｔ外に配置された光開口は、調整機構６を照射する光として、「ランプ光源からの漏れ光」のみならず、「ライトトンネルの調整機構配置面以外の面からの透過光」をも出射することができる。
【００３３】
［本発明の構成、作用、効果のまとめ］
第１の本発明に係る光学ユニットＵは、光源２から入射した光の光量分布を一様にする照明均一化素子４と、照明均一化素子を内部に収容する遮光性を有したケーシング２２と、被操作部４０Ａがケーシング２２の外部に位置し、該被操作部を操作されることにより照明均一化素子の設置位置、又は／及び、設置角度を変化させる調整機構６と、光源、照明均一化素子、調整機構を内部に収容すると共に外部から被操作部に対する操作を可能とする調整穴３５を備えたセット筐体３０と、を備え、ケーシング２２には、該ケーシングの内外を連通させる光開口２２ａを備え、光開口からケーシング外部に出射される光によって少なくとも被操作部４０Ａを照明することを特徴とする。
これによれば、プロジェクタ照明系における照明位置調整をライトトンネルの位置や姿勢を調整することにより実施する場合において、プロジェクタを解体することなく、セット筐体外部からライトトンネル位置調整ができる。
ケーシング２２内には光源となり得るライトトンネルが配置されている。また、ランプ光源からの漏れ光もケーシング内部にある。
【００３４】
本発明では、ケーシングに光開口を設けて内部の光がケーシングとセット筐体との間の空間に出射するようにした。一方、セット筐体にはケーシングに設けた調整機構にアクセス可能な調整穴を設けた。このため、調整穴から工具を差し込んで調整機構を操作する際に、光開口からの光を照明として利用することが可能となり、セット筐体を組み付けたままの状態での調整作業が可能となる。
要するに、プロジェクタの照明光学系において、セット筐体にライトトンネルの調整機構に外部からアクセスできる調整穴を設け、尚且つ調整機構を照明する光開口を設けた。このため、安全且つ、製造工場で使用しているような専用治具が無くとも、市場現場等でセット筐体外部からライトトンネルの位置調整ができるので、市場にて光学部品の修理・交換が生じ照明位置調整の必要が生じた場合でも、容易に照明ケラレの無い映像を得ることができる。
【００３５】
第２の本発明に係る光学ユニットＵでは、調整機構６は、ケーシング２２に設けた雌螺子部により回転自在且つ軸方向へ進退自在に支持され、被操作部４０Ａである頭部をケーシング外部に位置させると共に先端部をケーシング内部において照明均一化素子と接触させるビス４０と、ビス先端部が接する照明均一化素子の面とは反対側面をビスの押し込み力に抗する方向へ付勢する弾性部材４２ａ、４２ｂと、を備えていることを特徴とする。
調整対象となる照明均一化素子をビスと弾性部材とから成る調整手段によって調整するようにしたものである。
【００３６】
第３の本発明に係る光学ユニットＵは、光開口２２ａを、調整機構６が配置された照明均一化素子の調整機構配置面と対向するケーシング２２の内面であって、該調整機構配置面の外周輪郭線をケーシング内面に投影した領域Ｔ内に形成したことを特徴とする。
光開口を上記領域Ｔ内に配置したものであり、調整機構６を照射する光として、主としてライトトンネル側面からの透過光を利用したものである。
【００３７】
第４の本発明に係る光学ユニットは、光開口を、調整機構６が配置された照明均一化素子４の調整機構配置面の外周輪郭線をケーシング内面に投影した領域Ｔ外に形成したことを特徴とする。
光開口を上記領域Ｔ外に配置したものであり、調整機構６を照射する光として、主として「ランプ光源からの漏れ光」及び「ライトトンネルの調整機構配置面以外の面からの透過光」を利用するものである。
【００３８】
第５の本発明に係る光学ユニットは、セット筐体内壁に、光開口からの光を反射させる反射部を設けたことを特徴とする。
セット筐体内壁に反射部を設け、調整ビスの頭部を積極的に照射させるようにするもので、調整機構の視認性を上げることができる。
【００３９】
第６の本発明に係る画像表示装置は、請求項１乃至５の何れか一項に記載の光学ユニットを備えたことを特徴とする。
本発明に係る光学ユニットは、プロジェクタ等の画像表示装置に適用することができる。
【符号の説明】
【００４０】
１…プロジェクタ、２…光源、２ａ…ランプ、２ｂ…集光器、４…照明均一化素子（ライトトンネル）、６…ライトトンネル調整機構（調整機構）、８…カラーフィルタ、１０…画像表示素子、１５…照明光学系、１６…レンズ、１８…ミラー、２０…投射光学系、２１…照明系ケーシング、２２…ライトトンネル用ケーシング、２２ａ…光開口、２２ａ…光開口、３０…セット筐体、３１…反射部、３５…調整穴、４０…ビス、４０Ａ…被操作部（頭部）、４０Ｂ…雄螺子部、４０ａ、４０ｂ…調整ビス、４２ａ…弾性部材、４３…支持部材、５０…調整ドライバー（工具）、１００…被投射面
【先行技術文献】
【特許文献】
【００４１】
【特許文献１】特開２０１３−６４７８６公報
【特許文献２】特開２００７−２４８７５２公報
【図１】
2016009109.tif 000003
【図２】
2016009109.tif 000004
【図３】
2016009109.tif 000005
【図４】
2016009109.tif 000006
【図５】
2016009109.tif 000007
【図６】
2016009109.tif 000008
【図７】
2016009109.tif 000009